(57)【要約】【課題】本発明は親展印刷を行う印刷装置に係り、特にユーザ名と顔写真や個人を特定できるアイコン等の識別データを使用し、印刷ジョブの選択を行う印刷装置を提供することを課題とする。【解決手段】プリンタ等の印刷装置であって、少なくともユーザ名と、該ユーザ名を視覚的に識別できる識別データとを記憶する記憶手段と、ユーザ名と識別データとを含む印刷データが入力すると、ユーザ名と識別データが上記記憶手段に記憶されたユーザ名と識別データに一致するか判断する判断手段と、ユーザ名と識別データが一致するとき、上記ユーザ名と識別データが含まれた印刷データの印刷処理を行う印刷制御手段とを有し、顔写真やビジュアルに確認可能なアイコン等の識別データを確認することによって、誤りなくユーザによって登録された印刷データの印刷処理を行うことができる。【選択図】  図１
2009241433.tif 000002
【特許請求の範囲】
【請求項１】
少なくともユーザ名と、該ユーザ名を視覚的に識別できる識別データとを記憶する記憶手段と、
ユーザ名と識別データとを含む印刷データが入力すると、該ユーザ名と識別データが前記記憶手段に記憶されたユーザ名と識別データに一致するか判断する判断手段と、
前記ユーザ名と識別データが一致するとき、前記印刷データの印刷処理を行う印刷制御手段と、
を有することを特徴とする印刷装置。
【請求項２】
前記記憶手段には、更にアカウントパスワードが記憶され、前記印刷データと共に入力するアカウントパスワードとの一致も判断して、前記印刷データの印刷処理を行うことを特徴とする印刷装置。
【請求項３】
前記識別データは、顔写真データ、又は視覚的に前記ユーザ名を識別できるアイコンデータであることを特徴とする請求項１、又は２記載の印刷装置。
【請求項４】
前記記憶手段には、前記ユーザ名と識別データに対応するセキュリティ印刷データが記憶され、該ユーザ名と識別データとセキュリティ印刷データを表示手段に表示し、該表示手段に表示した前記識別データを視覚的に確認し、指定されたセキュリティ印刷データの印刷処理を行うことを特徴とする請求項１、２、又は３記載の印刷装置。
【請求項５】
前記記憶手段には、前記ユーザ名と識別データに対応するセキュリティ印刷データが記憶され、該記憶手段に記憶されたデータをホスト機器に出力する出力手段と、ホスト機器に表示された前記ユーザ名と識別データとセキュリティ印刷データを視覚的に確認し、ホスト機器によって指定されたセキュリティ印刷データの情報を入力する入力手段とを更に有し、前記印刷制御手段は前記ホスト機器によって指定されたセキュリティ印刷データの印刷処理を行うことを特徴とする請求項１、２、又は３記載の印刷装置。
【請求項６】
少なくともユーザ名に対応する識別データとパスワードとを記憶する記憶手段と、
識別データとパスワードとを含む印刷データが入力すると、該識別データとパスワードが前記記憶手段に記憶された識別データとパスワードに一致するか判断する判断手段と、
前記識別データとパスワードが一致するとき、前記印刷データの印刷処理を行う印刷制御手段と、
を有することを特徴とする印刷装置。
【請求項７】
前記識別データは、顔写真データ、又は視覚的に前記ユーザ名を特定できるデータであることを特徴とする請求項６記載の印刷装置。
【請求項８】
前記記憶手段には、前記識別データとパスワードに対応するセキュリティ印刷データが記憶され、該識別データとパスワードとセキュリティ印刷データを表示手段に表示し、該表示手段に表示した前記識別データを視覚的に確認し、指定されたセキュリティ印刷データの印刷処理を行うことを特徴とする請求項６、又は７記載の印刷装置。
【請求項９】
前記記憶手段には、前記識別データとパスワードに対応するセキュリティ印刷データが記憶され、該記憶手段に記憶されたデータをホスト機器に出力する出力手段と、ホスト機器に表示された前記識別データを視覚的に確認し、ホスト機器によって指定されたセキュリティ印刷データの情報を入力する入力手段とを更に有し、前記印刷制御手段は前記ホスト機器によって指定されたセキュリティ印刷データの印刷処理を行うことを特徴とする請求項６、又は７記載の印刷装置。
【発明の詳細な説明】
【技術分野】
【０００１】
本発明は、複数のユーザに対する親展印刷を行う印刷装置に関する。
【背景技術】
【０００２】
今日、コンピュータネットワークが広く使用され、例えばＬＡＮ（ローカルエリアネットワーク）等のネットワークに印刷装置を接続し、パーソナルコンピュータ（ＰＣ）等のホスト機器から印刷データを供給して印刷処理を行う印刷システムが使用されている。このようなシステムにおいては、ホスト機器と印刷装置が離れた場所に設置される場合が多く、秘匿性にある文書を印刷する場合、印刷物を他人に読まれる心配がある。
【０００３】
そこで、従来各種方法が提案されている。例えば、ＩＣカードのＵＩＤ（Unique Identifier（固有識別子））をカードリーダによって印刷装置に読み込み、このＵＩＤをパーソナルコンピュータ（ＰＣ）のプリンタドライバに書き込み、親展印刷を行う場合、印刷データに上記ＵＩＤを付加して印刷装置に送り、印刷装置によって印刷処理を行う際、ユーザが翳したＩＣカードのＵＩＤを確認して印刷出力を行う方法が提案されている（特許文献１）。
【０００４】
一方、パスワードを付加して、印刷データを印刷装置に送り、印刷装置によって印刷処理を行う際、入力したパスワードを確認して印刷出力を行う方法も提案されている。
【特許文献１】特開２００７−２４１５７８号公報
【発明の開示】
【発明が解決しようとする課題】
【０００５】
しかしながら、上記従来のパスワードを利用する方法では、印刷装置には同じユーザ名に対するジョブ一覧が表示される。この場合、ユーザによっては、Admin等の管理者名を使用する場合もあり、また同じユーザ名の場合もある。かかる場合、印刷ジョブの選択が困難になる。また、場合によっては、パスワードが一致する場合も考えられる。
また、ＩＣカードを使用するセキュリティ機能と、パスワードを使用するセキュリティ機能を共用する場合には、ＩＣカードによる場合にはＵＩＤによって印刷ジョブが管理され、パスワードに使用する場合には前述のユーザ名によって印刷ジョブが管理される。尚、両機能を共通化させることも考えられるが、前述のようにユーザ名に対応する印刷ジョブの選択が困難であることから、両機能の共通化にも問題がある。
【０００６】
そこで、本発明はユーザ名と顔写真や個人を特定できるアイコン等の識別データを使用し、印刷ジョブの選択を行う印刷装置を提供することを目的とする。
【課題を解決するための手段】
【０００７】
上記課題は第１の発明によれば、少なくともユーザ名と、該ユーザ名を視覚的に識別できる識別データとを記憶する記憶手段と、ユーザ名と識別データとを含む印刷データが入力すると、該ユーザ名と識別データが前記記憶手段に記憶されたユーザ名と識別データに一致するか判断する判断手段と、前記ユーザ名と識別データが一致するとき、前記印刷データの印刷処理を行う印刷制御手段とを有する印刷装置を提供することによって達成できる。
【０００８】
また、第２の発明によれば、前記記憶手段には、アカウントパスワードが記憶され、前記印刷データと共に入力するアカウントパスワードとの一致も判断して、前記印刷データの印刷処理を行う印刷装置を提供することによって達成できる。
【０００９】
また、上記課題は第３の発明によれば、前記識別データは、顔写真データ、又は視覚的に前記ユーザ名を特定できるデータである印刷装置を提供することによって達成できる。
【００１０】
また、上記課題は第４の発明によれば、前記記憶手段には、前記ユーザ名と識別データに対応するセキュリティ印刷データが記憶され、該ユーザ名と識別データとセキュリティ印刷データを表示手段に表示し、該表示手段に表示した前記識別データを視覚的に確認し、指定されたセキュリティ印刷データの印刷処理を行う印刷装置を提供することによって達成できる。
【００１１】
また、上記課題は第５の発明によれば、前記記憶手段には、前記ユーザ名と識別データに対応するセキュリティ印刷データが記憶され、該記憶手段に記憶されたデータをホスト機器に出力する出力手段と、ホスト機器に表示された前記ユーザ名と識別データとセキュリティ印刷データを視覚的に確認し、ホスト機器によって指定されたセキュリティ印刷データの情報を入力する入力手段とを更に有し、前記印刷制御手段は前記ホスト機器によって指定されたセキュリティ印刷データの印刷処理を行う印刷装置を提供することによって達成できる。
【００１２】
さらに、上記課題は第６の発明によれば、少なくともユーザ名に対応する識別データとパスワードとを記憶する記憶手段と、識別データとパスワードとを含む印刷データが入力すると、該識別データとパスワードが前記記憶手段に記憶された識別データとパスワードに一致するか判断する判断手段と、前記識別データとパスワードが一致するとき、前記印刷データの印刷処理を行う印刷制御手段とを有する印刷装置を提供することによって達成できる。
【００１３】
また、上記課題は第７の発明によれば、前記識別データは、顔写真データ、又は視覚的に前記ユーザ名を特定できるデータである印刷装置を提供することによって達成できる。
【００１４】
また、上記課題は第８の発明によれば、前記記憶手段には、前記識別データとパスワードに対応するセキュリティ印刷データが記憶され、該識別データとパスワードとセキュリティ印刷データを表示手段に表示し、該表示手段に表示した前記識別データを視覚的に確認し、指定されたセキュリティ印刷データの印刷処理を行う印刷装置を提供することによって達成できる。
【００１５】
また、上記課題は第９の発明によれば、前記記憶手段には、前記識別データとパスワードに対応するセキュリティ印刷データが記憶され、該記憶手段に記憶されたデータをホスト機器に出力する出力手段と、ホスト機器に表示された前記識別データを視覚的に確認し、ホスト機器によって指定されたセキュリティ印刷データの情報を入力する入力手段とを更に有し、前記印刷制御手段は前記ホスト機器によって指定されたセキュリティ印刷データの印刷処理を行う印刷装置を提供することによって達成できる。
【発明の効果】
【００１６】
本発明によれば、従来のようにユーザ名のみが一致する場合に誤って他人の印刷データを印刷するようなことがなく、確実なセキュリティ印刷を行うことができる。
【発明を実施するための最良の形態】
【００１７】
以下、本発明の実施の形態を図面に基づいて説明する。
（実施形態１）
【００１８】
図１は、本例の印刷装置の構成図である。
印刷装置１は、ＬＡＮ（local area network）等のネットワークを介してホスト機器であるパーソナルコンピュータ（ＰＣ）に接続されている。印刷装置１は、描画部２、ハードディスク（ＨＤ）３、画像メモリ４、印刷制御部５、送受信制御部６、オペレーションパネル制御部（以下、単にオペパネ制御部で示す）７で構成され、オペパネ制御部７には操作パネル（オペレーションパネル）８が接続されている。また、印刷制御部５は印刷部９に接続され、印刷部９の駆動によって印刷処理が行われ、排紙部１０に印刷物が排出される。
【００１９】
印刷装置１はパーソナルコンピュータ（ＰＣ）から供給された印刷データを描画部２に送り、ビットマップデータに変換し、画像メモリ４に書き込む。印刷制御部５は画像メモリ４に書き込まれたビットマップデータを印刷部９に送り、上記のように印刷部９の処理によって印刷処理を行う。
【００２０】
次に、本例のセキュリティ印刷について説明する。
先ず、図２は印刷装置１にユーザ名、識別データ、及びアカウントパスワードを登録する処理を説明する図である。先ず、パーソナルコンピュータ（ＰＣ）のプリンタドライバ内にアカウント作成ユーティリティを動作させ（図２に示すａ）、印刷装置１をユーザ登録モードに設定するためのコマンドを送信する（図２に示すｂ）。この送信処理により、印刷装置１はユーザ登録モードに移行する。
【００２１】
次に、ユーザ名を入力し、識別データを入力する。例えば、キーボードを操作してユーザ名を入力し、ユーザをビジュアルに認識できる顔写真やアイコン等の識別データを入力し、印刷装置１に送信する（図２に示すｃ）。さらに、アカウントパスワードを入力し、当該アカウントパスワードを印刷装置１に送信する（図２に示すｄ）。
【００２２】
次に、印刷装置１では、ハードディスク（ＨＤ）３のアカウント登録エリアにユーザ名、識別データへのポインタ、及びアカウントパスワードの情報を登録する（図２に示すｅ）。ここで、識別データへのポインタ情報は、ハードディスク（ＨＤ）３に設けられた識別データ登録エリアへのリンク先を示すアドレス情報であり、対応するユーザの識別データが識別データ登録エリアに登録される（図２に示すｆ）。
【００２３】
例えば、図２に示す例では、アカウント登録エリアに登録されたユーザ名１の場合、同じアカウント登録エリアにアカウントパスワード１が登録されると共に、識別データへのポインタ１の情報が登録され、このポインタ１の情報に基づいて識別データ登録エリアの識別データ（顔写真データ）が検索される。
【００２４】
同様に、アカウント登録エリアに登録されたユーザ名２の場合、同じアカウント登録エリアにアカウントパスワード２が登録されると共に、識別データへのポインタ２の情報が登録され、このポインタ２の情報に基づいて識別データ登録エリアの識別データ（アイコンデータ）が検索される。尚、アカウント登録エリアに登録されたユーザ名３以降についても同様な構成である。
【００２５】
次に、パーソナルコンピュータ（ＰＣ）からのユーザ登録モードの終了指示が送られ、印刷装置１は上記登録処理を終了する（図２に示すｇ）。
また、図３は上記登録処理を説明するフローチャートであり、先ず印刷装置１は前述のユーザ名等を登録する登録モードに設定され（ステップ（以下、ＳＴで示す）１）、以後パーソナルコンピュータ（ＰＣ）からユーザ名の情報を受信し（ＳＴ２）、識別データの情報を受信し（ＳＴ３）、更にアカウントパスワードの情報を受信し（ＳＴ４）、それぞれの受信データの一致を判断する。
例えば、ユーザ名の一致を判断し（ＳＴ５）、ユーザ名が一致しない場合（ＳＴ５がＮＯ）、未だ印刷装置１にユーザ名の登録が行われていないものと判断し、ユーザ名の登録処理を行う（ＳＴ８）。すなわち、前述のアカウント登録エリアに識別データの登録を行い、登録先ポインタの登録を行い（ＳＴ９）、アカウントパスワードの受信を行う（ＳＴ１０）。
【００２６】
また、識別データが一致しない場合も同様であり、前述のアカウント登録エリアに識別データの登録を行い、登録先ポインタの登録を行う。さらに、パスワードが不一致の場合も同様な処理を行う。そして、登録モードのオフを判断して処理を終了する（ＳＴ１１）。
【００２７】
一方、ＩＣカードによるＵＩＤの登録処理は、図４に示す通りである。
先ず、ユーザはパーソナルコンピュータ（ＰＣ）のドライバ機能を使用し、ＵＩＤの登録モードの指定を行う（図４に示すａ）。すなわち、パーソナルコンピュータ（ＰＣ）から同図に示すＵＩＤ登録モードコマンドを印刷装置１に送信し、印刷装置１をＵＩＤ登録モードに設定する。この場合、印刷装置１はＵＩＤ登録モードを示す表示を行う（図４に示すｂ）。
【００２８】
次に、ユーザがＩＣカードを翳すと、不図示のカードリーダがＩＣカードのＵＩＤを読み取り（図４に示すｃ）、印刷装置１内のハードディスク（ＨＤ）３に一時保存する（図４に示すｄ）。
【００２９】
次に、プリンタドライバ（パーソナルコンピュータ（ＰＣ））からのＵＩＤ取得要求が印刷装置１に送信されると（図４に示すｅ）、印刷装置１に保持されたＵＩＤがパーソナルコンピュータ（ＰＣ）に送信され、パーソナルコンピュータ（ＰＣ）はＵＩＤを取得する（図４に示すｆ）。その後、パーソナルコンピュータ（ＰＣ）は取得したＵＩＤを保存、管理する（図４に示すｇ）。
【００３０】
この場合、パスワードについては、パーソナルコンピュータ（ＰＣ）のキーボード等を操作することによって、図５に示すように、プリンタドライバが取得し、管理する。
以上の構成において、以下に本例のＩＣカードセキュリティ印刷処理、及びパスワードセキュリティ印刷処理動作について、図６を使用して説明する。
【００３１】
先ず、ユーザは不図示のアプリケーションによって作成した印刷ファイルにユーザ名、識別データ、アカウントパスワード、ＵＩＤ/パスワードを埋め込み、印刷ジョブファイルを生成する（図６に示すａ）。そして、パーソナルコンピュータ（ＰＣ）は生成した印刷ジョブファイルを印刷装置１に送信する（図６に示すｂ）。
【００３２】
印刷装置１では、送信された印刷ジョブファイルに含まれるユーザ名や識別データ等のチェックを行う（図６に示すｃ）。すなわち、入力したユーザ名や識別データ等の情報を、前述のハードディスク（ＨＤ）３のアカウント登録エリアに登録されたユーザ名や識別データ等と比較し、一致するユーザ名が存在するかチェックを行う。
【００３３】
ここで、一致するユーザ名が存在しない場合、未だユーザ名の登録がされていないと判断し、ユーザ名等の登録を行わせるため、前述の図２で説明した登録処理の要求を行う（図６に示すｄ）。また、この場合、入力した印刷ジョブファイルを削除する。
【００３４】
一方、一致するユーザ名が存在する場合、既にユーザ名が登録されていると判断し、入力した印刷ジョブファイルを保存し、ＩＣカードセキュリティ印刷データの印刷ジョブを作成し、ハードディスク（ＨＤ）３に保存する（図６に示すｅ）。
【００３５】
ここで、ハードディスク（ＨＤ）３での上記ＩＣカードセキュリティ印刷データの構成は、同図に示すように、ユーザ名と識別データから作成した名称であり、フォルダ形式で当該フォルダ内にＩＣカードセキュリティ印刷データを保存する。例えば、同図の例では、前述のユーザ名１と識別データ１から作成されたＩＣカードセキュリティ印刷データ１〜４が保存されている。
【００３６】
次に、印刷装置１がオンライン状態の場合、ユーザが操作パネル８を操作してオフライン状態に切り換え、操作キーを押してセキュリティモードになると（図６に示すｆ）、操作パネル８にはユーザ選択表示が行われる（図６に示すｇ）。ここで、例えばユーザ選択を行うと、更に一括印刷、又は個別印刷の選択表示が行われる（図６に示すｈ）。
【００３７】
ここで、一括印刷の選択を行うとパスワード、又はＩＣカード入力の表示が行われる（図６に示すｉ）。例えば、前述のユーザ名１が選択され、ＩＣカード入力があった場合には、前述のハードディスク（ＨＤ）３からＩＣカードセキュリティ印刷データ１〜４が読み出され、一括印刷が行われる（図６に示すｊ）。
【００３８】
一方、個別印刷の選択を行うとジョブ選択が行われ（図６に示すｋ）、パスワード、又はＩＣカード入力の表示が行われる（図６に示すｍ）。例えば、上記と同様、ユーザ名１が選択され、ＩＣカード入力があった場合には、前述のハードディスク（ＨＤ）３からＩＣカードセキュリティ印刷データ１〜４が検索され、更に選択した１つのＩＣカードセキュリティ印刷データ（例えば、ＩＣカードセキュリティ印刷データ１）の印刷処理が行われる（図６に示すｎ）。
【００３９】
尚、パスワード入力があった場合については、具体的には示していないが、一括印刷、及び個別印刷の何れにおいてもＩＣカードセキュリティ印刷と同様に、パスワードセキュリティ印刷が行われる。
【００４０】
また、上記印刷処理の際、ユーザ名のみではなく、前述の識別データやアカウントパスワードのチェックも行われ、確実な印刷処理を行うことができる。図７に示すフローチャートはこの処理を説明するものである。
先ず、印刷データの先頭に記述されているユーザ名を取得し（ステップ（以下、Ｓで示す）１）、アカウント登録エリアに登録されているユーザ名と一致すると（Ｓ２がＹＥＳ）、次に識別データを取得し（Ｓ３）、識別データに一致を判断する（Ｓ４）。ここで、例えユーザ名が一致したとしても識別データが一致しない場合、登録ユーザ不一致のエラーをパーソナルコンピュータ（ＰＣ）に送信し（Ｓ５）、入力した印刷ジョブファイルを削除する（Ｓ６）。
【００４１】
したがって、この処理により、従来のようにユーザ名のみが一致する場合に誤って他人の印刷データを印刷するようなことがない。このことは、更に識別データが一致した場合でも（Ｓ４がＹＥＳ）、アカウントパスワードの一致を判断することによって（Ｓ７）、更に確実な処理となる。
【００４２】
すなわち、本例では例えユーザ名及び識別データが一致したとしても、アカウントパスワードが一致しない場合（Ｓ８がＮＯ）、前述のように登録ユーザ不一致のエラーをパーソナルコンピュータ（ＰＣ）に送信し（Ｓ５）、入力した印刷ジョブファイルを削除する（Ｓ６）。したがって、この処理により、セキュリティ印刷を確実なものとすることができる。
このように、本例によれば、アカウントパスワードまで一致した場合（Ｓ８がＹＥＳ）、前述のＩＣカードセキュリティ印刷データ１〜４に全て、又は個別印刷を行い（Ｓ９、Ｓ１０）、更に確実なセキュリティ印刷を行うことができる。
（実施形態２）
【００４３】
次に、本発明の実施形態２について説明する。
図８は本実施形態を説明する図であり、本例はパーソナルコンピュータ（ＰＣ）上で印刷装置１に登録されたＩＣカードセキュリティ印刷データ、又はパスワードセキュリティ印刷データの処理を行うものである。
先ず、パーソナルコンピュータ（ＰＣ）上でセキュリティ印刷データの選択等の指示を行うため、パーソナルコンピュータ（ＰＣ）側において、登録データ操作ユーティリティを起動し、印刷装置１に対してセキュリティ印刷データの一覧の取得を要求する（図８に示すａ）。
【００４４】
次に、印刷装置１側では上記要求に対してハードディスク（ＨＤ）３に作成されているセキュリティ印刷データを元のユーザ名と識別データに変換してパーソナルコンピュータ（ＰＣ）に送信する（図８に示すｂ）。
【００４５】
次に、パーソナルコンピュータ（ＰＣ）側では、印刷装置１から送られたセキュリティ印刷データの一覧情報を表示する（図８に示すｃ）。図９は、上記表示例を示す図である。ユーザ名に対応して、顔写真又はビジュアルにユーザ名を特定することができるアイコンと、印刷名（ＩＣカードセキュリティ印刷データ又はパスワードセキュリティ印刷データ）、及び登録日時のデータが表示される。
【００４６】
本例では、上記表示状態において、ユーザは画面上でキーボードやマウスを操作して印刷指示や、削除指示を行う。例えば、図９に示す例は、印刷名９を指定し、アカウントパスワードを入力することによって、印刷名９のパスワードセキュリティ印刷データを削除する例である。具体的には、印刷名９の指定とアカウントパスワードを入力し、印刷装置１に送信することによって、印刷装置１側において対応するパスワードセキュリティ印刷データの削除を行う（図８に示すｅ）。
【００４７】
尚、印刷指示についても同様であり、印刷名を指定し、アカウントパスワードを入力することによって、対応する印刷名のセキュリティ印刷データを削除することができる。
以上のように、本例によればパーソナルコンピュータ（ＰＣ）側の指示により、セキュリティ印刷データを指定し、当該印刷データの印刷処理、又は削除処理を行うことができる。
（実施形態３）
【００４８】
次に、本発明の実施形態３について説明する。
図１０は本実施形態を説明する図であり、本例は印刷装置１の操作パネル８にセキュリティ印刷データの表示を行い、印刷データの印刷処理、及び削除処理を行う構成である。また、操作パネル８は、表示部８ａ、ＬＥＤ部８ｂ、及び操作部８ｃで構成されている。表示部８ａにはユーザ名に対応するセキュリティ印刷データが表示され、ＬＥＤ部８ｂには状態表示（例えば、前述のセキュリティ印刷モードの状態表示）が行われ、ユーザは操作部８ｃの対応するキーを操作し、後述する指示を行う。
【００４９】
図１１は、表示部８ａに表示されたデータ例を示す。例えば、ユーザ名１と該ユーザ名１に基づいて登録された印刷名（ＩＣカードセキュリティ印刷データ、又はパスワードセキュリティ印刷データ）の情報が、初期状態として表示される。この状態で、ユーザは印刷処理や削除処理を行うセキュリティ印刷データを選択し、表示部８ａ上に表示する。すなわち、操作部８ｃの設定キーや方向キー等を操作し、表示部８ａの画面を縦スクロール、横スクロールし、印刷処理や削除処理が必要なセキュリティ印刷データを表示部８ａに表示する。
【００５０】
そして、印刷名を指定し、希望する印刷データの印刷処理及び削除処理を行うことができる。
以上のように、本例によれば印刷装置１の操作パネル８を使用して、セキュリティ印刷データを指定し、希望する印刷データの印刷処理、又は削除処理を行うことができる。このとき、操作パネル８に表示される識別データはユーザ名をビジュアルに特定できるデータであり、誤りなく正確に印刷、又は削除を希望する印刷データの指定を行うことができる。
【図面の簡単な説明】
【００５１】
【図１】本実施形態の印刷装置の構成図である。
【図２】印刷装置にユーザ名、識別データ、及びアカウントパスワードを登録する処理を説明する図である。
【図３】登録処理を説明するフローチャートである。
【図４】ＩＣカードによるＵＩＤの登録処理を説明する図である。
【図５】パスワードの登録処理を説明する図である。
【図６】セキュリティ印刷処理動作を説明する図である。
【図７】セキュリティ印刷処理を説明するフローチャートである。
【図８】実施形態２の処理を説明する図である。
【図９】セキュリティ印刷データを削除する例を説明する図である。
【図１０】実施形態３の処理を説明する図である。
【図１１】実施形態３の具体例を説明する図である。
【符号の説明】
【００５２】
１・・・印刷装置
２・・・描画部
３・・・ハードディスク（ＨＤ）
４・・・画像メモリ
５・・・印刷制御部
６・・・送受信制御部
７・・・オペパネ制御部
８・・・操作パネル
９・・・印刷部
１０・・排紙部
【図１】
2009241433.tif 000003
【図３】
2009241433.tif 000004
【図７】
2009241433.tif 000005
【図１０】
2009241433.tif 000006
【図２】
2009241433.tif 000007
【図４】
2009241433.tif 000008
【図５】
2009241433.tif 000009
【図６】
2009241433.tif 000010
【図８】
2009241433.tif 000011
【図９】
2009241433.tif 000012
【図１１】
2009241433.tif 000013